(57)【要約】【課題】圧力調整器に直接装着することが可能な構造を有することで、コンパクト且つ取り付け作業性が良好な圧力調整器マウント用ディジタル表示計を得る。【解決手段】正面に調整ハンドル３１を有し一次圧力及び二次圧力をそれぞれ測定するための各圧力センサ５０を設けた圧力調整器３０に対し装着され、前記一次圧力及び二次圧力を表示するな圧力調整器マウント用ディジタル表示計１であって、正面側にディジタル表示部２１を有し前記圧力調整器の上方に位置する匡体２０を設け、該匡体内には、前記各圧力センサ５０からの信号線に接続され各圧力値をディジタル表示するためのデバイスが収納され、前記匡体２０は、その前面又は後面に固定される平面パネル１０（背面パネル１５）により圧力調整器３０に装着して成る。【選択図】    図１
2007072553.tif 000002
【特許請求の範囲】
【請求項１】
正面に調整ハンドルを有し一次圧力及び二次圧力をそれぞれ測定するための各圧力センサを設けた圧力調整器に対し装着され、前記一次圧力及び二次圧力を表示するディジタル表示計であって、
正面側にディジタル表示部を有し前記圧力調整器の上方に位置する匡体を設け、該匡体内には、前記各圧力センサからの信号線に接続され各圧力値をディジタル表示するためのデバイスが収納される一方、
前記匡体は、その前面又は後面に固定される平面パネルにより圧力調整器に装着して成る
ことを特徴とする圧力調整器マウント用ディジタル表示計。
【請求項２】
前記匡体の一部を圧力調整器における前記各圧力センサ間に突出して位置させた請求項１に記載の圧力調整器マウント用ディジタル表示計。
【請求項３】
圧力調整器の正面にパネルマウント部を設け、前記平面パネルに設けた穴部を前記パネルマウント部に嵌合することで圧力調整器に対して装着される請求項１に記載の圧力調整器マウント用ディジタル表示計。
【請求項４】
前記穴部とパネルマウント部との間に回転止め手段を有して成る請求項３に記載の圧力調整器マウント用ディジタル表示計。
【請求項５】
前記穴部及びパネルマウント部に直線部を有することで回転止め手段を形成する請求項４に記載の圧力調整器マウント用ディジタル表示計。
【発明の詳細な説明】
【技術分野】
【０００１】
本発明は、高圧ガスを減圧する圧力調整器に直接装着され、一次圧力及び二次圧力をそれぞれ表示する圧力調整器マウント用ディジタル表示計に関する。
【背景技術】
【０００２】
圧力調整器は、ガスボンベから供給される高圧ガスを所望の設定圧に減圧調整して機器側へ流出させるものであるが、その際、ガス供給量の減少や所望の設定圧の維持を図るため、入口側の一次圧力と出口側の二次圧力を監視しながら操作を行っている。
【発明の開示】
【発明が解決しようとする課題】
【０００３】
一次圧及び二次圧のガス圧力が表示可能な圧力調整器３０としては、図４に示すように、一次室及び二次室に連通する位置（ガス流通部）に直接圧力計４０を装着したものが一般的であった。しかしながら、近年、圧力値を電気信号として出力させて信号処理を行ったり、ガス流通部のデッドスペース減少を図るため、圧力計に代えて圧力センサを装着するタイプが主流となりつつある。
【０００４】
この種の圧力調整器３０は、図５に示すように、一次室及び二次室に連通する位置に圧力センサ５０を装着し、圧力センサ５０からの信号線を一般的なディジタル表示計６０に接続することで、一次圧及び二次圧を表示することが行われる。
ディジタル表示計６０は、圧力調整器３０が固定されるＬ字片であるアングル７０の上面に固定されたブラケット７１に装着したり（図５）、圧力調整器３０が固定されているパネル７２に装着されている（図６）。
【０００５】
しかしながら、上述のような構造であると、ディジタル表示計６０を圧力調整器３０の近傍に固定する必要があり、場合によってはディジタル表示計固定用部材について、圧力調整器固定用とは別の部材を用意する必要がある（図５）という問題点があった。
また、上述の構造によれば、圧力調整器３０の上方や側方にディジタル表示計６０を固定するので、ディジタル表示計６０を含めた圧力調整器部分が大型化していたという問題点があった。
【０００６】
本発明は上記実情に鑑みてなされたもので、圧力調整器に直接装着することが可能な構造を有することで、コンパクト且つ取り付け作業性が良好な圧力調整器マウント用ディジタル表示計を提供することを目的としている。
【課題を解決するための手段】
【０００７】
上記目的を達成するため本発明の圧力調整器マウント用ディジタル表示計１は、正面に調整ハンドル３１を有し一次圧力及び二次圧力をそれぞれ測定するための各圧力センサ５０を設けた圧力調整器３０に対し装着され、前記一次圧力及び二次圧力を表示するディジタル表示計であって、次の構成を含むことを特徴としている。
正面側にディジタル表示部２１を有し前記圧力調整器の上方に位置する匡体２０を設け、該匡体内には、前記各圧力センサ５０からの信号線に接続され各圧力値をディジタル表示するためのデバイスが収納されている。
前記匡体２０は、その前面又は後面に固定される平面パネル１０（背面パネル１５）により圧力調整器３０に装着して成る。
【０００８】
請求項２は、請求項１の圧力調整器マウント用ディジタル表示計１において、前記匡体２０の一部を圧力調整器３０における前記各圧力センサ５０間に突出して位置させたことを特徴としている。
【０００９】
請求項３は、請求項１の圧力調整器マウント用ディジタル表示計１において、圧力調整器３０の正面にパネルマウント部３２を設け、前記平面パネル１０に設けた穴部１２を前記パネルマウント部３２に嵌合することで圧力調整器３０に対して装着されることを特徴としている。
【００１０】
請求項４は、請求項１の圧力調整器マウント用ディジタル表示計において、前記穴部とパネルマウント部との間に回転止め手段を有して成ることを特徴としている。
【００１１】
請求項５は、請求項３の圧力調整器マウント用ディジタル表示計において、前記穴部及びパネルマウント部に直線部（（直線部１２ａ，３２ａ））を有することで回転止め手段を形成することを特徴としている。
【発明の効果】
【００１２】
本発明の圧力調整器マウント用ディジタル表示計によれば、ディジタル表示部を正面に有した匡体がパネルを介して圧力調整器に装着されているので、ディジタル表示部を圧力調整器に直接固定することができる。
【００１３】
また、匡体の一部を圧力調整器の側部における前記各圧力センサ間に突出して位置させることで、デッドスペースを有効に活用して匡体内の容積を増加することでコンパクトな装置とすることができる。
【００１４】
前記穴部とパネルマウント部との間に回転止め手段を設けることで、平面パネルが回転することなくディジタル表示部の位置を圧力調整器に対して定位置に固定することができる。
【発明を実施するための最良の形態】
【００１５】
本発明の圧力調整器マウント用ディジタル表示計の実施の形態の一例について、図面を参照しながら説明する。
圧力調整器マウント用ディジタル表示計１は、圧力調整器３０に対して装着されるものである。圧力調整器３０は、入口側から流入され一次室に貯留する高圧ガスの圧力を二次室において設定圧に減圧し出口側から流出させる装置であり、正面に装着された調整ハンドル３１により一次室内の弁（図示せず）に加わるバネ力を調節して圧力が調整できるように構成されている。
圧力調整器３０の一次室に連通する一次圧流路には一次圧力を測定するための圧力センサ５０ａが、二次室に連通する二次圧流路には二次圧力を測定するための圧力センサ５０ｂがそれぞれ設けられている。各圧力センサ５０は、ひずみケージにより圧力を検知するもので、検知した圧力を出力線から電気信号として出力するようになっている。
【００１６】
圧力調整器マウント用ディジタル表示計１は、平面パネル１０とこの平面パネル１０に装着される匡体２０とから構成されている。匡体２０は、金属片の各部を折り曲げることで、方形体に対してその中央部で裏面側に突出する方形体を組み合わせたような形状（水平面での形状が凸形）に形成され、正面側にディジタル表示部２１を有するとともに、裏面の両端に端子２２，２２が設けられている。匡体２０の水平面での形状を凸形としたのは、圧力調整器マウント用ディジタル表示計１を圧力調整器３０に装着した場合に、匡体２０の一部を圧力調整器３０における各圧力センサ５０，５０間に突出して位置させるようにして空間を有効に利用するためである。
【００１７】
各端子２２には、前記各圧力センサ５０からの信号線に接続された接続端子５１が接続され、匡体２０内には各圧力値をディジタル表示するためのデバイスが収納されている。ディジタル表示部２１においては、数値が二列に表示可能に構成され、一次圧力と二次圧力とが同時に表示されるようになっている。
【００１８】
平面パネル１０の上側位置には、方形状に開口された窓部１１が形成され、この窓部１１からディジタル表示部２１が臨むように平面パネル１０に対してその後面に匡体２０が固定されている。
正面パネル１０の下側位置には、圧力調整器３０の正面に設けたマウント部３２に挿入するための穴部１２が形成されている。
したがって、図１に示すように、平面パネル１０に設けた穴部１２をパネルマウント部３２に嵌合させ、緩衝リング３３を介在させて止めリング３４で締結することで、圧力調整器３０の正面上方に匡体２０が位置するように固定することができる。したがって、圧力調整器３０に本来備わっているパネルマウント部３２を利用するため、圧力調整器３０の構成形状を何等変更することなくディジタル表示計１を装着することができる。
【００１９】
また、穴部１２及びパネルマウント部３２の上部においてそれぞれ直線部１２a，３２aを有するようにすることで、嵌合時に平面パネル１０が回転しない回転止め手段を形成することができる。パネルマウント部３２における直線部３２ａは、図１に示すように、パネルマウント部３２の一部を欠落することで形成されている。
なお、回転止め手段は、穴部１２及びパネルマウント部３２全体を多角形にすることで構成してもよい。
【００２０】
上述の構造によれば、圧力調整器３０に圧力センサ５０を取り付けた場合に、センサの前部及び中間部に生じるスペースを有効利用して表示計を取り付けたため、表示計装着による実質的な占有スペースがほとんど増加しない。
上記構造では圧力調整器３０のパネルマウント部３２を利用して直接装着するので、既存のディジタル表示計のように表示計をマウントするパネル等を用意する必要がない。
【００２１】
図３は、圧力調整器マウント用ディジタル表示計１の他の例を示すもので、圧力調整器３０の後部のパネルマウントネジ３５を利用したものである。すなわち、図１の匡体２０の裏面に方形状の背面パネル１５を固定し、この背面パネル１５の下端を圧力調整器３０の後部にパネルマウントネジ３５でネジ止めするようになっている。図１と同じ構成をとる部分については同一符号を付している。
【００２２】
上述した例では、平面パネル１０と匡体２０とを別部材で構成したが、両者を一つの金属片で形成し、各部を折り曲げることで匡体２０に相当する空間部を上方に備えて平面パネルと匡体とが接続されたような形状を構成するものであってもよい。
【００２３】
上述した例では匡体２０を水平面での形状が凸形となるように形成したが、内部に装着されるデバイスの回路の小型化が実現できれば、裏面側に突出する方形体の部位を取り除いて全体を一つの方形体で構成することも可能となる。
【図面の簡単な説明】
【００２４】
【図１】本発明の圧力調整器マウント用ディジタル表示計及びこの表示計が装着される圧力調整器の組み立て斜視説明図である。
【図２】本発明の圧力調整器マウント用ディジタル表示計が装着された圧力調整器の斜視説明図である。
【図３】本発明の実施の形態の他例の圧力調整器マウント用ディジタル表示計が装着された圧力調整器の斜視説明図である。
【図４】従前の表示計付圧力調整器の斜視説明図である。
【図５】従前のディジタル表示計が圧力調整器に装着された状態を示す斜視説明図である。
【図６】従前のディジタル表示計が圧力調整器に装着された状態を示す斜視説明図である。
【符合の説明】
【００２５】
１  圧力調整器マウント用ディジタル表示計
１０  平面パネル
１１  窓部
１２  穴部
１２ａ  直線部
１５  背面パネル
２０  匡体
２１  ディジタル表示部
３０  圧力調整器
３１  調整ハンドル
３２  パネルマウント部
３２ａ  直線部
５０  圧力センサ
【図１】
2007072553.tif 000003
【図２】
2007072553.tif 000004
【図３】
2007072553.tif 000005
【図４】
2007072553.tif 000006
【図５】
2007072553.tif 000007
【図６】
2007072553.tif 000008